(57)【特許請求の範囲】
【請求項１】
底面側に設けられた設置足を介し、浴槽用防水パン上に自立状に設置される気泡浴槽用ポンプにおいて、前記設置足は、気泡浴槽用ポンプの底面側の外周域及び中心域に軟質材で凸状に複数設けられていることを特徴とする気泡浴槽用ポンプの設置構造。
【請求項２】
前記各設置足の下端が尖った形状に形成されていることを特徴とする請求項１に記載の気泡浴槽用ポンプの設置構造。
【請求項３】
前記複数の設置足は、軟質材の防振シートに凸状に形成されているとともに、該防振シートはその側縁を、気泡浴槽用ポンプの架台の側面まで立ち上げて固定できるように構成されていることを特徴とする請求項１または請求項２に記載の気泡浴槽用ポンプの設置構造。
【発明の詳細な説明】
【０００１】
【発明の属する技術分野】
この発明は、気泡浴槽用ポンプの設置構造に関するものである。
【０００２】
【従来の技術及び発明が解決しようとする課題】
従来、図１０に示すように、気泡浴槽５２の側壁に設けられた噴射吸水口部５３，５３にはホース５４が連結され、このホース５４の端部は循環ポンプ５５に連結されて、循環ポンプ５５により気泡浴槽５２内の湯を循環させて、吸気口部５７から空気管５８を介して空気を導入させ、気泡を混入させて、湯を浴槽５２内に噴出できるものとなっており、従来、浴槽用防水パン５１上に気泡浴槽５２を設置する場合、循環ポンプ５５を気泡浴槽５２に取り付けると、浴槽５２の内寸を大きくできないため、循環ポンプ５５は浴槽５２から離して防水パン５１上に設置する必要がある。但し、防水パン５１上に置いただけでは、循環ポンプ５５が振動してホース５４に撓みが生じ、また騒音が発生することとなる。かと言って、循環ポンプ５５をネジ等を用いて防水パン５１に固定すると、防水パン５１が漏水することとなるため、架台５６に循環ポンプ５５を載せ、架台５６の底の四隅に４本のゴム等の設置足を設け、このゴム等の設置足を介在させてポンプ５５を防水パン５１に設置している。
【０００３】
しかし、浴槽用防水パン５１には図１１に示すように、立ち上がり状に段差部５１ａが形成されており、この段差部５１ａに、図１２に拡大斜視図で示すように点検口５１ｂが形成され、その外側に立上面５１ｃが形成されて、点検口５１ｂには点検口蓋６０が覆設されており、また、図１３に要部斜視図で示すような形状の点検口５１ｂが形成されて、この点検口５１ｂには方形状の点検口蓋６１が覆設される場合もある。
このように、浴槽用防水パン５１には、点検口の大きさや給水・給湯配管の位置等により、段差部５１ａが形成されている場合が多く、また同一の浴槽用防水パン５１に対して異なる浴槽５２を設置可能とするためには、ポンプ５５の設置位置がズレる可能性があり、前記段差部５１ａ等にポンプ５５の設置足が位置すると、ポンプ５５を水平に設置することができない事態が生ずるという問題点があった。
【０００４】
【課題を解決するための手段】
本発明は上記従来の問題点に鑑み案出したものであって、防水パンの段差のある部分でも、良好にポンプを自立状に設置できる気泡浴槽用ポンプの設置構造を提供せんことを目的とし、その第１の要旨は、底面側に設けられた設置足を介し、浴槽用防水パン上に自立状に設置される気泡浴槽用ポンプにおいて、前記設置足は、気泡浴槽用ポンプの底面側の外周域及び中心域に軟質材で凸状に複数設けられていることである。
また、第２の要旨は、前記各設置足の下端が尖った形状に形成されていることである。
また、第３の要旨は、前記複数の設置足は、軟質材の防振シートに凸状に形成されているとともに、該防振シートはその側縁を、気泡浴槽用ポンプの架台の側面まで立ち上げて固定できるように構成されていることである。
【０００５】
【発明の実施の形態】
以下、本発明の実施例を図面に基づいて説明する。
図１は、ポンプ５５を架台１に取り付けた状態の斜視構成図であり、また図２は、ポンプを取り外した状態の架台の斜視構成図である。また図３は、構成部材の分解斜視図を示している。
図において、架台１は、水平平板状を成す底面片２の左右両端側から、上方へ向かって折り曲げ状に一対の側面片３，３が形成されて、上面が開放されたコの字状に形成されており、それぞれの側面片３の中央部には、縦長に切り欠いて窓４が形成されており、この窓４の前後に、それぞれ上下に間隔をおいて３個の高さ調節孔５ａ，５ｂ，５ｃが貫通形成されている。
また、側面片３の下端の前後端側には、それぞれ差込孔６，６が貫通形成されている。
【０００６】
また、この架台１に組み付けられる受け金具８は、水平平板状の受け部８ａの左右端縁から、下方側へ垂下状にそれぞれ一対の固定片８ｂ，８ｂが折り曲げ形成されており、それぞれの固定片８ｂにはナット９が溶接されて設けられている。
この受け金具８の固定片８ｂ，８ｂ，８ｂ，８ｂを、前記架台１の側面片３，３の内側へ配置させて、高さ調節孔５ａ，５ｂ，５ｃの内の何れか１つにナット９を整合させて位置決めし、側面片３の外側より、ワッシャー６を介在させてネジ１５を高さ調節孔に差込んで、ネジ１５を受け金具８のナット９に締め付けることにより、受け金具８を架台１に組み付けることができるものであり、図１及び図２では、ネジ１５を中央の高さ調節孔５ｂに差込んで、この高さ調節孔５ｂの高さ位置に受け金具８を固定したものである。
この固定された受け金具８上に、図１に示すようにポンプ５５を載せて取り付けることができ、前記高さ調節孔５ａ，５ｂ，５ｃの何れかを選択することにより、ポンプ５５の高さを調節できるものとなっている。
【０００７】
また、架台１の底面片２の底側には、防振シート１０が取り付けられるものである。
この防振シート１０は、図４に裏側からの斜視図で示すように、ゴム等の軟質材で方形平板状に形成した平面シート部１０ａの左右の側縁から、それぞれ外側に突出状に側縁突片１０ｂ，１０ｂ，１０ｂ，１０ｂが四隅に形成されており、それぞれの側縁突片１０ｂ，１０ｂ，１０ｂ，１０ｂは、平板シート部１０ａに対し９０°に折り曲げできるように構成されている。
この各側縁突片１０ｂには、下方側へ円錐状に突出する側面足１３が一体形成されており、この側面足１３に対応して上方側へ立ち上げて棒状の差込片１２が一体形成されている。
また、平面シート部１０ａの裏面には、下方側へ円錐状または砲弾状に突出する複数の設置足１１，１１，１１が軟質材で一体形成されており、それぞれの設置足１１の下端側は尖った形状を成して、設置足１１の下端が防水パン５１にほぼ点接触で当接されるように構成されている。
この複数の設置足１１は、平面シート部１０ａの外周縁に沿って、各辺に５個ずつ配置形成されており、また中心部、即ちポンプ５５の重心位置を囲むように、内側にも複数の設置足１１が配置形成されている。
【０００８】
この防振シート１０は図３に示すように、四隅の側縁突片１０ｂ，１０ｂ，１０ｂ，１０ｂをそれぞれ上方へ立ち上げて、架台１の側面片３に貫通形成されている差込孔６内に、それぞれの差込片１２を差込むことにより、良好に防振シート１０を架台１に固定することができるように構成されている。
従って、架台１に対し防振シート１０は差込片１２を介して容易に着脱できるものであり、固定状態では、底面片２の底側に防振シート１０が固着されて、下方に向かって複数の設置足１１，１１が突出された形態を成し、また側面側に側面足１３，１３，１３，１３が突出された形態となる。
【０００９】
架台１に対し防振シート１０を組み付けた状態の概略側面図を図５に示しているが、例えばこの状態で、浴槽用防水パン５１の段差部５１ａの点検口蓋６１上に載せた場合に、設置足１１の一部が点検口蓋６１から外れて浮き上がった状態となっても、複数の設置足１１，１１の内の少なくとも３個は点検口蓋６１上に載るために、自立が可能なものとなる。
また、防水パン５１の外周部に立ち上げられている立上面５１ｃの内側に、防振シート１０の側面足１３が当接して、架台１が防水パン５１に直接接触することが回避され、ポンプ５５の振動による架台１の接触音を良好に低減させることができるものとなる。
【００１０】
なお、図６の平面概略図で示すものは、前記図５の位置、即ち点検口蓋６１上に防振シート１０が配置された状態を示すものであり、図６のように設置足１１の一部が段差部５１ａ上に浮き上がって、設置足１１の一部が点検口蓋６１から外れて設置された場合でも、複数の設置足１１の内、最低３個の設置足１１は点検口蓋６１上に配置されるために、自立可能な３つの接触点を確保することができるものとなる。
【００１１】
なお、図７の平面図で示すように、点検口蓋６０上に防振シート１０の全部が配置されるような場合には、複数の設置足１１の全部が点検口蓋６０に接触して、良好な自立状態を確保することができるものである。
同様に、図８に示すように、点検口蓋６０から外れた位置であっても、平面部５１ｄ上に防振シート１０が配置される場合にも、良好に複数の設置足１１により自立させることができるものとなる。
また、図９に示すように、一部の設置足１１が点検口蓋６０から外れて段差部５１ａ上に浮き上がった状態に配置される場合においても、他の複数の設置足１１は良好に点検口蓋６０上に接触するため、良好に自立させることができるものとなる。
【００１２】
このように、防振シート１０の一部の設置足１１が外れてしまう段差がある場合でも、ポンプ５５の重心の周りに最低３点の有効な設置足１１が確保でき、ポンプ５５の設置位置がズレた場合でも良好にポンプを自立させて設置できるものである。
また、防振シート１０の各設置足１１は、下端側が尖った形状に形成されているため、防水パン５１との接触面積が最小限となり、このため、防水パン５１上を流れる排水の固形分（例えば毛髪）が設置足１１に引っ掛かりにくくなる。また、接触面積が大きい場合に問題となる表面張力で残る排水による腐食も発生しにくいものとなる。
【００１３】
【発明の効果】
本発明は、底面側に設けられた設置足を介し、浴槽用防水パン上に自立状に設置される気泡浴槽用ポンプにおいて、設置足は、気泡浴槽用ポンプの底面側の外周域及び中心域に軟質材で凸状に複数設けられていることにより、外周域の設置足が外れてしまう防水パンの段差がある場合でも、中心域に複数の設置足が存在するため、ポンプを自立可能な３点を確保することができ、ポンプの設置位置がズレた場合でも、良好にポンプを自立させて防水パン上に水平に設置することができ、また、ポンプの振動が防水パンに伝わることを良好に防ぐことができるものとなる。
【００１４】
また、各設置足の下端が尖った形状に形成されていることにより、防水パンと設置足の接触面積が最小限となるため、防水パン上を流れる排水中の固形分が設置足に引っ掛かりにくくなり、また、接触面積が小さいために表面張力で残る排水も少なくなり、腐食が発生しにくいものとなる。
【００１５】
また、複数の設置足は、軟質材の防振シートに凸状に形成されているとともに、防振シートはその側縁を、気泡浴槽用ポンプの架台の側面まで立ち上げて固定できるように構成されていることにより、ポンプの架台に防振シートを容易に取り付けることにより、架台の下面に複数の設置足が配置されることとなり、また架台の側面まで防振シートを立ち上げて固定できるために、防水パンの立上面と架台が直接接触することが回避されて、ポンプの振動によるポンプ架台の接触音を良好に低減することができるものとなる。
【図面の簡単な説明】
【図１】架台にポンプを取り付けた状態の斜視構成図である。
【図２】架台の組立状態の斜視構成図である。
【図３】架台と受け金具と防振シートの分解斜視図である。
【図４】防振シートを裏面側から見た拡大斜視図である。
【図５】防振シートを取り付けた架台を防水パンの点検口蓋上に設置した概略断面構成図である。
【図６】防振シートの配置位置の一例を示す要部平面構成図である。
【図７】防振シートの配置位置の変更例を示す要部平面構成図である。
【図８】さらに異なる防振シートの配置例を示す要部平面構成図である。
【図９】さらに異なる防振シートの配置例を示す要部平面構成図である。
【図１０】従来の気泡浴槽とポンプの設置状態の斜視構成図である。
【図１１】浴槽用防水パンの斜視構成図である。
【図１２】浴槽用防水パンの点検口周辺の要部分解拡大斜視構成図である。
【図１３】さらに異なる形状の点検口の周辺を示す要部分解拡大斜視構成図である。
【符号の説明】
１  架台
２  底面片
３  側面片
４  窓
５ａ，５ｂ，５ｃ  高さ調節孔
６  差込孔
８  受け金具
８ａ  受け部
８ｂ  固定片
９  ナット
１０  防振シート
１０ａ  平面シート部
１０ｂ  側縁突片
１１  設置足
１２  差込片
１３  側面足
１５  ネジ
５１  浴槽用防水パン
５１ａ  段差部
５１ｂ  点検口
５１ｃ  立上面
５２  気泡浴槽
５５  ポンプ
６０，６１  点検口蓋
【図１】
0004060635.tif 000002
【図２】
0004060635.tif 000003
【図３】
0004060635.tif 000004
【図４】
0004060635.tif 000005
【図５】
0004060635.tif 000006
【図６】
0004060635.tif 000007
【図７】
0004060635.tif 000008
【図８】
0004060635.tif 000009
【図９】
0004060635.tif 000010
【図１０】
0004060635.tif 000011
【図１１】
0004060635.tif 000012
【図１２】
0004060635.tif 000013
【図１３】
0004060635.tif 000014